(57)【要約】【課題】ワイヤハーネス９０に対する着脱を容易にすることが可能なカバーキャップの提供を目的とする。【解決手段】本発明のカバーキャップを適用したグロメット保護具１０は、ハーネス収容溝２０をそれぞれ有する第１側壁１１及び第２側壁１２と、第１側壁１１及び第２側壁１２の外縁同士の間を連結しかつ、グロメット９５を側方三方から覆う連結壁１３と、ハーネス収容溝２０のうちワイヤハーネス９０が収容される収容部２０Ｈと、ハーネス収容溝２０のうち、収容部２０Ｈよりも溝入口２０Ａ側を絞ってなり、ワイヤハーネス９０を収容部２０Ｈ内に保持する保持部２０Ｋと、第１側壁１１及び第２側壁１２のうちハーネス収容溝２０の延長上に形成されてハーネス収容溝２０と連通し、ハーネス収容溝２０と共に第１側壁１１及び第２側壁１２を二分する操作部２１及びくびれ部２２と、を有するグロメット保護具１０。【選択図】図１
2018011378.tif 000002
【特許請求の範囲】
【請求項１】
長尺ワークを側方から受容可能な１対の溝部を対向位置に備える容器構造をなして、前記長尺ワークから側方に張り出す側方突部を収容するカバーキャップであって、
前記溝部をそれぞれ有する１対の対向壁と、
１対の前記対向壁の外縁同士の間を連結しかつ、前記側方突部を側方三方から覆う連結壁と、
前記溝部のうち前記長尺ワークが収容される収容部と、
前記溝部のうち、前記収容部よりも入口側を絞ってなり、前記長尺ワークを前記収容部内に保持する保持部と、
１対の前記対向壁のうち前記溝部の延長上に形成されて前記溝部と連通し、前記溝部と共に前記対向壁を二分する分断部と、を有するカバーキャップ。
【請求項２】
前記分断部は、前記収容部との間にくびれ部を有し、そのくびれ部よりも奥側が広くなっている請求項１に記載のカバーキャップ。
【請求項３】
前記分断部のうち前記収容部と反対側部分の内面と、前記連結壁の内面とが略面一になっている請求項１又は２に記載のカバーキャップ。
【請求項４】
前記溝部のうち前記保持部の前記収容部側には、前記入口側に向かうにつれて窄まった第１ガイド部が形成され、
前記溝部のうち前記保持部の前記入口側には、前記収容部側に向かうにつれて窄まった第２ガイド部が形成されている請求項１乃至３の何れか１の請求項に記載のカバーキャップ。
【請求項５】
１対の前記対向壁における前記溝部の外縁から突出部が起立している請求項１乃至４の何れか１の請求項に記載のカバーキャップ。
【発明の詳細な説明】
【技術分野】
【０００１】
本発明は、長尺ワークから側方に張り出す側方突部を収容するカバーキャップに関する。
【背景技術】
【０００２】
従来、長尺ワークとしてのワイヤハーネスに装着されてその側方に張り出すグロメットを収容するグロメット保護具であり、ケースにグロメットを収納した後に蓋体を閉じて使用されるものが知られている（例えば、特許文献１参照）。
【先行技術文献】
【特許文献】
【０００３】
【特許文献１】特開２００１−３３３５２２号公報（段落［００２９］，［００３０］、図１，１３）
【発明の概要】
【発明が解決しようとする課題】
【０００４】
上述したグロメット保護具では、装着時に、ケースにグロメットを収納した後、蓋体をケースに重ねて係止する必要があった。同様に、離脱時には、ケースからグロメットを取り出す前に、ケースと蓋体との係止を解除する必要があった。このように、従来のグロメット保護具においては、着脱に手間取るという欠点があった。
【０００５】
本発明は、上記事情に鑑みてなされたもので、長尺ワークに対する着脱を容易にすることが可能なカバーキャップの提供を目的とする。
【課題を解決するための手段】
【０００６】
上記目的を達成するためになされた請求項１の発明は、長尺ワークを側方から受容可能な１対の溝部を対向位置に備える容器構造をなして、前記長尺ワークから側方に張り出す側方突部を収容するカバーキャップであって、前記溝部をそれぞれ有する１対の対向壁と、１対の前記対向壁の外縁同士の間を連結しかつ、前記側方突部を側方三方から覆う連結壁と、前記溝部のうち前記長尺ワークが収容される収容部と、前記溝部のうち、前記収容部よりも入口側を絞ってなり、前記長尺ワークを前記収容部内に保持する保持部と、１対の前記対向壁のうち前記溝部の延長上に形成されて前記溝部と連通し、前記溝部と共に前記対向壁を二分する分断部と、を有するカバーキャップである。
【０００７】
請求項２の発明は、前記分断部は、前記収容部との間にくびれ部を有し、そのくびれ部よりも奥側が広くなっている請求項１に記載のカバーキャップである。
【０００８】
請求項３の発明は、前記分断部のうち前記収容部と反対側部分の内面と、前記連結壁の内面とが略面一になっている請求項１又は２に記載のカバーキャップである。
【０００９】
請求項４の発明は、前記溝部のうち前記保持部の前記収容部側には、前記入口側に向かうにつれて窄まった第１ガイド部が形成され、前記溝部のうち前記保持部の前記入口側には、前記収容部側に向かうにつれて窄まった第２ガイド部が形成されている請求項１乃至３の何れか１の請求項に記載のカバーキャップである。
【００１０】
請求項５の発明は、１対の前記対向壁における前記溝部の外縁から突出部が起立している請求項１乃至４の何れか１の請求項に記載のカバーキャップである。
【発明の効果】
【００１１】
［請求項１の発明］
請求項１の発明によれば、１対の対向壁を弾性変形させて長尺ワークを保持部の奥側へ通過させた後、１対の対向壁が弾性復帰すると、長尺ワークが収容部内に保持され、側方突部が収容された状態でカバーキャップが長尺ワークに装着される。同様に、１対の対向壁を弾性変形させて、長尺ワークを保持部より入口側へ通過させることで、カバーキャップが長尺ワークから取り外される。このように、本発明のカバーキャップによれば、長尺ワークが保持部を通過するように１対の対向壁を弾性変形させることで、長尺ワークに対して着脱されるので、ケースと蓋体との係止及び係止解除作業が必要であった従来よりも長尺ワークへの着脱を容易にすることができる。しかも、対向壁のうち収容部から奥側の部分も分断部により二分されているので、対向壁が開きやすくなり、長尺ワークへの着脱をより容易にすることができる。
【００１２】
［請求項２の発明］
請求項２の発明では、分断部のうち収容部との間のくびれ部よりも奥側が広くなっているので、分断部に工具や指を挿入可能となり、着脱の作業性が向上する。
【００１３】
［請求項３の発明］
請求項３の発明によれば、対向壁が連結壁と連結する部分まで二分されているので、対向壁の開き量が大きくなり、着脱がより容易になる。
【００１４】
［請求項４の発明］
請求項４の発明によれば、カバーキャップを長尺ワークから取り外す際、カバーキャップを引っ張ることで、長尺ワークが第１ガイド部によって保持部に誘導されるため、カバーキャップの取り外しがスムーズになる。同様に、カバーキャップを長尺ワークに装着する際は、カバーキャップの第２ガイド部を長尺ワークに当てて押し込むことで、長尺ワークが保持部に誘導され、装着がスムーズになる。
【００１５】
［請求項５の発明］
請求項５のカバーキャップでは、長尺ワークに当接する端面が広くなるので、長尺ワークを傷つけにくくすることができる。
【図面の簡単な説明】
【００１６】
【図１】本発明の一実施形態に係るグロメット保護具とワイヤハーネスとの斜視図
【図２】グロメット保護具の斜視図
【図３】グロメット保護具の正面図
【図４】グロメット保護具の底面側斜視図
【図５】グロメット保護具をワイヤハーネスに装着する際の正面図
【図６】グロメット保護具がワイヤハーネスに装着されている状態の正面図
【図７】グロメット保護具がワイヤハーネスに装着されている状態の斜視図
【図８】グロメット保護具がワイヤハーネスに装着されている状態の底面図
【図９】グロメット保護具がワイヤハーネスに装着されている状態の側断面図
【図１０】変形例に係るグロメット保護具とワイヤハーネスとの斜視図
【図１１】変形例に係るグロメット保護具がワイヤハーネスに装着されている状態の正面図
【図１２】変形例に係るグロメット保護具がワイヤハーネスに装着されている状態の正面図
【発明を実施するための形態】
【００１７】
以下、本発明の一実施形態を図１〜９に基づいて説明する。図１において符号９０は、本発明の「長尺ワーク」に相当するワイヤハーネスであり、ワイヤハーネス９０には、側方に張り出したグロメット９５（本発明の「側方突部」に相当する）が備えられている。グロメット９５は、円盤状の円盤部９５Ａを有し、円盤部９５Ａの一方の面は、外方へ向けて膨出したドーム部９５Ｂとなっている。また、円盤部９５Ａの他方の面には、円盤部９５Ａよりも小径の円柱部９５Ｃが設けられている。なお、円盤部９５Ａのうち円柱部９５Ｃ側の端部寄り位置には、外周全体に延びた溝９５Ｍが形成されている（図８及び図９参照）。
【００１８】
本発明を適用したグロメット保護具１０（本発明の「カバーキャップ」に相当する）は、上述したワイヤハーネス９０の運搬時に、グロメット９５を保護するために使用される。なお、以下の説明において「上下」とは、図１における上下を指す。
【００１９】
図１及び図２に示すように、グロメット保護具１０は、下方へ開放した容器構造をなし、互いに対向した第１側壁１１及び第２側壁１２（本発明の「１対の対向壁」に相当する）と、第１側壁１１と第２側壁１２との間を連結する連結壁１３と、を有している。図３に示すように、第１側壁１１は、上方に膨出した半円の下に僅かに下方へ広がる台形を組み合わせた形状の平板で、外縁に、上方に向けて膨出した半円弧状の円弧部１１Ａと、円弧部１１Ａの両端部からそれぞれ下方に延びた側辺部１１Ｂ，１１Ｂと、側辺部１１Ｂ，１１Ｂの下端同士を連絡する方向に延びた下辺部１１Ｃと、を有している。
【００２０】
図１及び図４に示すように、第２側壁１２は、平面形状が第１側壁１１と同一で、第１側壁１１と同様、外縁に、円弧部１２Ａと、側辺部１２Ｂ，１２Ｂと、下辺部１２Ｃと、を有している。また、本実施形態では、第１側壁１１は平板である一方、第２側壁１２は、中央下部が外方へ向けて段付き状に膨出してなる膨出部１２Ｆを有している。詳細には、第２側壁１２は、円弧部１２Ａ及び側辺部１２Ｂ，１２Ｂに沿って延びた帯状の主板１２Ｓと、主板１２Ｓよりもワイヤハーネス９０の軸方向における外方に配され、主板１２Ｓと平行をなす副板１２Ｔと、を有している。副板１２Ｔは、第１側壁１１を一回り小さくした形状をなし、その下端が第１側壁１１及び主板１２Ｓの下端と上下方向における同一位置に位置している。そして、主板１２Ｓの内縁と副板１２Ｔの外縁との間が、それらと垂直に延びた起立壁１２Ｕにより接続されている。
【００２１】
連結壁１３は、第１側壁１１及び第２側壁１２の主板１２Ｓと略直交していて、第１側壁１１と第２側壁１２の主板１２Ｓとのうち円弧部１１Ａ，１２Ａ同士の間と、側辺部１１Ｂ，１２Ｂ同士の間とを接続している。これにより、連結壁１３は、収容物を、上方と横方向との側方三方から覆うこととなる。また、連結壁１３の下端は、第１側壁１１及び第２側壁１２の下端と上下方向における同一位置に位置していて、グロメット保護具１０の下端面全体が略面一になっている。
【００２２】
なお、第１側壁１１及び第２側壁１２のうち連結壁１３と隣接する部分は、面取りされたＲ面１１Ｋ，１２Ｋとなっている。また、第２側壁１２の副板１２Ｔのうち起立壁１２Ｕと隣接する部分も同様にＲ面１２Ｖとなっている。
【００２３】
図４に示すように、グロメット保護具１０の下端部は、開口部１５となっていて、グロメット保護具１０の内部には、第１側壁１１と第２側壁１２の主板１２Ｓとの間に配された大径の第１収容部１０Ｘと、第２側壁１２の膨出部１２Ｆの内部に配された小径の第２収容部１０Ｙとが配されている。
【００２４】
さて、本実施形態のグロメット保護具１０では、第１側壁１１及び第２側壁１２に、ワイヤハーネス９０を受容するハーネス収容溝２０，２０（本発明の「溝部」に相当する）が形成されている。図３及び図４に示すように、ハーネス収容溝２０，２０は、第１側壁１１及び第２側壁１２の下辺部１１Ｃ，１２Ｃのうち横方向の中央に設けられた溝入口２０Ａ，２０Ａ（本発明の「入口」に相当する）から上下方向の中央部まで延びている。このハーネス収容溝２０の奥部が本発明の収容部２０Ｈとなっていて、ハーネス収容溝２０のうち収容部２０Ｈよりも溝入口２０Ａ側は互いに近接するように絞られた保持部２０Ｋとなっている。収容部２０Ｈは、略円形をなし、その径は、溝入口２０Ａの幅と略同一で、ワイヤハーネス９０の径よりもやや大きくなっている。また、保持部２０Ｋの幅はワイヤハーネス９０の径の１／３程になっている。
【００２５】
また、ハーネス収容溝２０のうち保持部２０Ｋの上側部分は、下方へ向かうにつれて窄まった第１ガイド部２０Ｆとなっていて、保持部２０Ｋの下側部分は、溝入口２０Ａから上方へ向かうにつれて窄まった第２ガイド部２０Ｇとなっている。
【００２６】
ここで、第１側壁１１及び第２側壁１２のうち、ハーネス収容溝２０の上方には、第１側壁１１及び第２側壁１２を貫通する操作部２１，２１が形成されている。操作部２１は角部が丸まった四角形状をなし、その上端内面は連結壁１３の内面と面一になっている。また、操作部２１は、ハーネス収容溝２０と連通していて、第１側壁１１及び第２側壁１２のうち、操作部２１とハーネス収容溝２０との間には、本発明のくびれ部２２が形成されている。くびれ部２２の幅は、保持部２０Ｋの幅よりも小さくなっていて、ワイヤハーネス９０が通過不能となっている。これら操作部２１、くびれ部２２及びハーネス収容溝２０により、第１側壁１１及び第２側壁１２は、連結壁１３と連結する部分まで横方向に二分されている。なお、操作部２１とくびれ部２２とから本発明の「分断部」が構成されている。
【００２７】
また、グロメット保護具１０には、端面全体に、即ち、第１側壁１１及び第２側壁１２における下辺部１１Ｃ，１２Ｃと、操作部２１、くびれ部２２及びハーネス収容溝２０の外縁と、連結壁１３の下縁部とに、連続して設けられた突出部２５が形成されている。突出部２５は、第１側壁１１、第２側壁１２及び連結壁１３の板厚の１．５〜３倍程の幅で外方へ向けて突出している。
【００２８】
なお、図１及び図４に示すように、第２側壁１２においては、ハーネス収容溝２０は副板１２Ｔに形成されていて、操作部２１は、副板１２Ｔと主板１２Ｓとにまたがって形成されている。詳細には、第２側壁１２のうち副板１２Ｔの上部から主板１２Ｓの上端にまたがる部分に、ワイヤハーネス９０の軸方向に延びた筒部１２Ｈが突出形成されている。
筒部１２Ｈの上端部は、連結壁１３の頂上部の延長上に配され、筒部１２Ｈの上端内面と連結壁１３の内面とが面一になっている。この筒部１２Ｈの先端部が操作部２１となっている。
【００２９】
本実施形態の構成は以上である。次に、本実施形態の作用効果について説明する。
【００３０】
まず、グロメット保護具１０のワイヤハーネス９０への装着は、以下のように行う。即ち、図５に示すように、グロメット９５を開口部１５から受容するようにして、ハーネス収容溝２０の第２ガイド部２０Ｇをワイヤハーネス９０に宛がい、グロメット保護具１０を押し込む。すると、第１側壁１１及び第２側壁１２が弾性変形してグロメット保護具１０が横方向に開き、ワイヤハーネス９０が収容部２０Ｈ側へ案内される。ワイヤハーネス９０が保持部２０Ｋを通過すると第１側壁１１及び第２側壁１２が弾性復帰し、図６〜９に示すように、ワイヤハーネス９０が収容部２０Ｈに保持される。このとき、グロメット９５の円盤部９５Ａは、連結壁１３により側方三方から覆われて第１収容部１０Ｘに収容され、円柱部９５Ｃは、第２収容部１０Ｙに収容される（図８及び図９参照）。
【００３１】
グロメット保護具１０をワイヤハーネス９０から取り外す際は、操作部２１に例えば指を挿入し、連結壁１３の頂上部をワイヤハーネス９０に対して引っ張り上げる。すると、第１ガイド部２０Ｆに案内されてワイヤハーネス９０が保持部２０Ｋに向けて移動し、グロメット保護具１０が横方向に弾性変形して開き、ワイヤハーネス９０が保持部２０Ｋを通過して外れる。なお、グロメット保護具１０は、ワイヤハーネス９０が保持部２０Ｋを通過したときに弾性復帰する。
【００３２】
本実施形態のグロメット保護具１０によれば、ワイヤハーネス９０が保持部２０Ｋを通過するように第１側壁１１及び第２側壁１２を弾性変形させることで、ワイヤハーネス９０に対して着脱されるので、ケースと蓋体とを係止・係止解除させる構成よりもワイヤハーネス９０に対する着脱を容易にすることができる。また、保持部２０Ｋの上側、下側に、それぞれ第１ガイド部２０Ｆ、第２ガイド部２０Ｇが形成されているので、グロメット保護具１０の押し込み又は引っ張りによりワイヤハーネス９０が保持部２０Ｋへ誘導され、着脱をよりスムーズに行うことができる。
【００３３】
また、ハーネス収容溝２０の上方に、指や工具を挿入可能な操作部２１が形成されているので、着脱の作業性が向上する。さらに、第１側壁１１及び第２側壁１２が、ハーネス収容溝２０及び操作部２１等により連結壁と連結する部分まで分断されているので、第１側壁１１及び第２側壁１２が弾性変形しやすくなり（グロメット保護具１０が横方向に開きやすくなり）、着脱がより容易になる。
【００３４】
また、グロメット保護具１０の端面全体に突出部２５が形成されているので、ワイヤハーネス９０に当接する端面が広くなり、ワイヤハーネス９０の損傷を防ぐことができる。また、この突出部２５によりグロメット保護具１０自体が補強されるので、グロメット保護具１０の損傷も防がれる。特に、グロメット保護具１０が連結壁１３の頂上部を中心にねじれることが予想されるが、連結壁１３の頂上部からも突出部２５が張り出しているため、ねじれにくくなると考えられる。
【００３５】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００３６】
（１）上記実施形態では、グロメット９５に円柱部９５Ｃが設けられていて、この円柱部９５Ｃを受容するためにグロメット保護具１０に膨出部１２Ｆが形成されていたが、図１０に示すように、グロメット９５に円柱部９５Ｃが設けられていない場合、グロメット保護具１０に膨出部１２Ｆが形成されていなくてもよい。
【００３７】
（２）上記実施形態では、ハーネス収容溝２０と操作部２１との間にくびれ部２２が形成されていたが、図１１に示すように、くびれ部２２を有さず、ハーネス収容溝２０を同幅のまま延長して操作部２１を形成する構成であってもよい。この場合であっても、グロメット９５が連結壁１３に当接することでワイヤハーネス９０が収容部２０Ｈに保持される。
【００３８】
（３）本発明の「分断部」が、上記実施形態では、操作部２１とくびれ部２２とから形成されていたが、図１２に示すように、ハーネス収容溝２０の上端部から連結壁１３まで延びた切り込み２１Ｗであってもよい。
【００３９】
（４）上記実施形態では、突出部２５が、グロメット保護具１０の端面全体に形成されていたが、ハーネス収容溝２０の外縁のみに形成される構成であってもよい。また、突出部２５が形成されていなくてもよい。
【００４０】
（５）上記実施形態では、第１側壁１１及び第２側壁１２が、連結壁と連結する部分まで分断されていたが、その手前部分まで分断されている構成であってもよい。
【００４１】
（６）上記実施形態では、第１側壁１１及び第２側壁１２が、外縁に円弧部１１Ａ，１２Ａを有し、半円と台形とを組み合わせた形状となっていたが、これに限られるものではなく、例えば、第１側壁１１及び第２側壁１２が正面視四角形状をなしていてもよい。
【符号の説明】
【００４２】
１０    グロメット保護具（カバーキャップ）
１１    第１側壁（対向壁）
１２    第２側壁（対向壁）
１３    連結壁
１５    開口部
２０    ハーネス収容溝（溝部）
２０Ａ    溝入口（入口）
２０Ｆ    第１ガイド部
２０Ｇ    第２ガイド部
２０Ｈ    収容部
２０Ｋ    保持部
２１    操作部（分断部）
２２    くびれ部（分断部）
２５    突出部
９０    ワイヤハーネス（長尺ワーク）
９５    グロメット（側方突部）
【図１】
2018011378.tif 000003
【図２】
2018011378.tif 000004
【図３】
2018011378.tif 000005
【図４】
2018011378.tif 000006
【図５】
2018011378.tif 000007
【図６】
2018011378.tif 000008
【図７】
2018011378.tif 000009
【図８】
2018011378.tif 000010
【図９】
2018011378.tif 000011
【図１０】
2018011378.tif 000012
【図１１】
2018011378.tif 000013
【図１２】
2018011378.tif 000014